(57)【要約】【課題】各飲食者に誤って飲食物が提供されるのを防止すること。【解決手段】本発明では、飲食者ごとに予め定められた飲食物を盛付けた複数の食器をトレイ（５）に載置するトレイメイクシステム（１）及びトレイメイク方法において、飲食物を盛付けた複数の食器（７〜１１）が載置された状態の画像（１２）をトレイ（５）ごとに撮影し、撮影された画像（１２）を分析し、飲食者ごとに予め定められた飲食物がトレイ（５）に載置されていることを確認することにした。特に、撮影された画像（１２）から食札（６）や食器（７〜１１）ごとの画像（１３〜１８）を抽出し、食札（６）や各食器（７〜１１）ごとの画像（１３〜１８）に基づいて飲食者ごとに予め定められた飲食物がトレイ（５）に載置されていることを確認することにした。【選択図】図１
2020081076.tif 000002
【特許請求の範囲】
【請求項１】
飲食者ごとに予め定められた飲食物を盛付けた複数の食器をコンベアで搬送されるトレイに載置するトレイメイクシステムにおいて、
飲食物を盛付けた複数の食器が載置された状態の画像をトレイごとに撮影し、撮影された画像を分析し、飲食者ごとに予め定められた飲食物がトレイに載置されていることを確認することを特徴とするトレイメイクシステム。
【請求項２】
飲食者ごとに予め定められた飲食物を盛付けた複数の食器をトレイに載置するトレイメイク方法において、
飲食物を盛付けた複数の食器が載置された状態の画像をトレイごとに撮影し、撮影された画像を分析し、飲食者ごとに予め定められた飲食物がトレイに載置されていることを確認することを特徴とするトレイメイク方法。
【請求項３】
撮影された画像から食器ごとの画像を抽出し、各食器ごとの画像に基づいて飲食者ごとに予め定められた飲食物がトレイに載置されていることを確認することを特徴とする請求項２に記載のトレイメイク方法。
【請求項４】
飲食者ごとに作成された食札をトレイに載置し、食札の画像をトレイごとに撮影し、撮影され画像を分析し、飲食者ごとに予め定められた飲食物がトレイに載置されていることを確認することを特徴とする請求項２又は請求項３に記載のトレイメイク方法。
【発明の詳細な説明】
【技術分野】
【０００１】
本発明は、飲食者ごとに予め定められた飲食物を盛付けた複数の食器をトレイに載置するトレイメイクシステム及びトレイメイク方法に関するものである。
【背景技術】
【０００２】
従来より、病院や学校などにおいては、多数の飲食者に一斉に食事が提供される。その際には、各飲食者ごとに飲食物を盛付けた複数の食器をトレイに載置した状態で提供される。このように、飲食物を盛付けた複数の食器を飲食者ごとのトレイに載置する作業をトレイメイクと呼んでいる。
【０００３】
そして、病院や学校などにおいては、飲食者各人の病状や体調や体質などに応じて、飲食者ごとに予め定められた食事を提供している。
【０００４】
そのため、各飲食者ごとに予め定められた食事が情報として記載された食札が作成されており、トレイメイクする際には、作業者が各飲食者に対応した食札に記載された情報に基づいて、各飲食者ごとに異なる飲食物が盛付けられた複数の食器をそれぞれのトレイに載置する必要がある（たとえば、特許文献１参照。）。
【先行技術文献】
【特許文献】
【０００５】
【特許文献１】特開２０１８−１０８２９２号公報
【発明の概要】
【発明が解決しようとする課題】
【０００６】
上記従来のトレイメイクにおいては、各飲食者の病状や体調や体質などに応じて、予め定められた飲食物を盛付けた複数の食器をトレイに載置しなければならないために、誤って異なる飲食物を提供してしまうことがないように、トレイメイクされた後（各飲食者に配膳される前）に、トレイに誤って飲食物が載置されていないか厳重に確認する必要がある。
【課題を解決するための手段】
【０００７】
そこで、請求項１に係る本発明では、飲食者ごとに予め定められた飲食物を盛付けた複数の食器をコンベアで搬送されるトレイに載置するトレイメイクシステムにおいて、飲食物を盛付けた複数の食器が載置された状態の画像をトレイごとに撮影し、撮影された画像を分析し、飲食者ごとに予め定められた飲食物がトレイに載置されていることを確認することにした。
【０００８】
また、請求項２に係る本発明では、飲食者ごとに予め定められた飲食物を盛付けた複数の食器をトレイに載置するトレイメイク方法において、飲食物を盛付けた複数の食器が載置された状態の画像をトレイごとに撮影し、撮影された画像を分析し、飲食者ごとに予め定められた飲食物がトレイに載置されていることを確認することにした。
【０００９】
また、請求項３に係る本発明では、前記請求項２に係る本発明において、撮影された画像から食器ごとの画像を抽出し、各食器ごとの画像に基づいて飲食者ごとに予め定められた飲食物がトレイに載置されていることを確認することにした。
【００１０】
また、請求項４に係る本発明では、前記請求項２又は請求項３に係る本発明において、飲食者ごとに作成された食札をトレイに載置し、食札の画像をトレイごとに撮影し、撮影され画像を分析し、飲食者ごとに予め定められた飲食物がトレイに載置されていることを確認することにした。
【発明の効果】
【００１１】
そして、本発明では、以下に記載する効果を奏する。
【００１２】
すなわち、本発明では、飲食者ごとに予め定められた飲食物を盛付けた複数の食器をトレイに載置するトレイメイクにおいて、飲食物を盛付けた複数の食器が載置された状態の画像をトレイごとに撮影し、撮影された画像を分析し、飲食者ごとに予め定められた飲食物がトレイに載置されていることを確認することにしているために、作業者の目視による確認に加えて機械的な確認を行うことができるので、各飲食者に誤って飲食物が提供されるのを防止することができる。
【００１３】
特に、撮影された画像から食器ごとの画像を抽出し、各食器ごとの画像に基づいて飲食者ごとに予め定められた飲食物がトレイに載置されていることを確認することにした場合には、各食器ごとに各飲食者に誤って飲食物が提供されるのを防止することができ、また、各食器ごとに異物の混入や盛り付けの不具合なども併せて確認することができる。
【００１４】
さらに、飲食者ごとに作成された食札をトレイに載置し、食札の画像をトレイごとに撮影し、撮影され画像を分析し、飲食者ごとに予め定められた飲食物がトレイに載置されていることを確認することにした場合には、食札に掲載された各飲食者ごとに予め定められた飲食物の情報を自動的に取得することができ、各飲食者に誤って飲食物が提供されるのをより一層確実に防止することができる。
【図面の簡単な説明】
【００１５】
【図１】本発明に係るトレイメイクシステムを示す平面説明図（ａ）、同側面説明図（ｂ）。
【図２】同動作説明図。
【発明を実施するための形態】
【００１６】
以下に、本発明に係るトレイメイクシステム及びトレイメイク方法の具体的な構成について図面を参照しながら説明する。
【００１７】
図１に示すように、トレイメイクシステム１は、搬送手段２としてのベルトコンベアの下流側の端部上方に撮影手段３としてのカメラを設け、これらの搬送手段２と撮影手段３などに制御手段４としてのコントローラーを接続して、制御手段４によって搬送手段２や撮影手段３などの駆動を制御している。
【００１８】
そして、トレイメイクシステム１では、各飲食者に提供されるトレイ５を搬送手段２によって上流側から下流側へ搬送し、搬送途中において作業者が各トレイ５に載置された食札６に掲載されている情報に基づいて各飲食者ごとに予め定められた飲食物を盛付けた食器７〜11を各トレイ５に載置するトレイメイクが行われ、搬送手段２の下流側の端部において各食札６に掲載されている情報に基づいて各トレイ５の状態を確認し、正常なトレイ５のみを搬送カートなどを用いて各飲食者に提供するようにしている。
【００１９】
搬送手段２は、上流側の端部から下流側の端部へ向けてトレイ５を搬送する。各トレイ５には、各飲食者ごとの食札６が載置される。各食札６には、飲食者を特定する情報や、その飲食者に予め定められた食事を特定する情報（食器７〜11の種類や個数や配置などの情報）などが掲載されている。なお、食札６には、情報が文字で直接的に記載されている場合に限られず、情報を制御手段４で認識できるコード等のデータで間接的に記載されている場合も含まれる。
【００２０】
作業者は、搬送手段２でトレイ５が上流側から下流側へ搬送される間に、各トレイ５に載置された食札６にしたがって各飲食者ごとに予め定められた飲食物を盛付けた食器７〜11を予め定められた配置で各トレイ５に載置していく。
【００２１】
そして、搬送手段２の下流側の端部では、撮影手段３によって各トレイ５ごとに各トレイ５に載置された食札６や食器７〜11を撮影する。
【００２２】
撮影手段３は、各トレイ５ごとに画像を取得することができるものであればよく、１台のカメラで各トレイ５の全体を撮影してもよく、また、複数台のカメラで各トレイ５の全体を撮影してもよい。また、撮影手段３は、通常の画像を撮影するカメラだけでなく、通常のカメラよりも高倍率で顕微鏡画像を撮影するカメラや、温度に対応した赤外線の画像を撮影するカメラなどを併せて用いることもできる。
【００２３】
制御手段４は、搬送手段２を制御してトレイ５を上流側から下流側へ向けて搬送させるとともに、搬送手段２の下流側の端部まで搬送された各トレイ５を撮影手段３で撮影させる。
【００２４】
そして、制御手段４は、図２に模式的に示すように、飲食物を盛付けた複数の食器７〜11が載置された状態の画像をトレイ５ごとに撮影し、撮影された画像12を分析し、飲食者ごとに予め定められた飲食物がトレイ５に載置されていることを確認し、トレイ５に飲食物が正常に載置されていないと判断した場合には、報知手段を用いて作業者に通知する。これにより、トレイメイクシステム１では、作業者の目視による確認に加えて機械的な確認を行うことができ、各飲食者に誤って飲食物が提供されるのを防止することができる。
【００２５】
その際に、制御手段４は、撮影手段３で撮影された画像12から食札６の画像13と食器７〜11ごとの画像14〜18を抽出し、食札６の画像13や各食器７〜11ごとの画像14〜18に基づいて飲食者ごとに予め定められた飲食物がトレイ５に載置されていることを確認する。
【００２６】
たとえば、制御手段４は、画像12から食札６や食器７〜11の形状や色などに基づいて食札６の画像13と食器７〜11ごとの画像14〜18を抽出する。
【００２７】
また、制御手段４は、食札６の画像13から食札６に掲載されている情報を認識し、データーベースなどを利用して飲食者ごとに予め定められた情報を取得する。この飲食者ごとに予め定められた情報には、トレイ５に食器７〜11が正常に載置された状態のモデル画像19や、各食器７〜11ごとに飲食物が正常に盛付けられた状態のモデル画像20〜24が含まれている。
【００２８】
そして、制御手段４は、トレイ５の全体を撮影した画像12とトレイ５に食器７〜11が正常に載置された状態のモデル画像19とを比較することで、トレイ５に食器７〜11が過不足なく正しい位置に載置されているか否かを判断することができる。
【００２９】
また、制御手段４は、各食器７〜11ごとの画像14〜18と各食器７〜11ごとに飲食物が正常に盛付けられた状態のモデル画像20〜24とを比較することで、各食器７〜11に誤りや過不足がないか否かを判断することができる。
【００３０】
なお、制御手段４は、トレイ５の全体を撮影した画像12やそれから抽出された各食器７〜11ごとの画像14〜18を解析することで、各食器７〜11ごとの飲食物の盛付け状態（色彩や形状や量などの状態）や異物の混入の状態や、各食器７〜11ごとの汚れや破損の状態などをも確認することができる。また、制御手段４は、高倍率又は高解像度で撮影された飲食物の画像を用いれば、飲食物に菌等が繁殖していないかなどをも確認することができる。さらに、制御手段４は、赤外線を撮影した画像を用いれば、飲食物の温度が適温であるか否かや、再加熱の有無やその際の温度設定などをも確認することができる。
【００３１】
そして、制御手段４は、各トレイ５ごとに食器７〜11の過不足や誤配置や飲食物の状態などを確認した後に、報知手段を用いて作業者に報知する。なお、上記トレイメイクシステム１では、食器７〜11の過不足や誤配置や飲食物の状態などの誤りを通知するだけでなく、食札６から得られた情報に基づいて、飲食者ごとにアレルギー等の注意事項などをトレイメイクの作業者に報知して作業者の注意を喚起することもできる。また、上記トレイメイクシステム１では、搬送手段２の下流側の端部に撮影手段３を配置してトレイメイク後のトレイ５を撮影しているが、これに限られず、搬送手段２の上流側等に撮影手段３を配置して、トレイメイク前やトレイメイク中のトレイ５を撮影して、食札６から得られる情報に基づいて飲食者ごとにアレルギー等の注意事項や食器７〜11の配置位置等の注意事項などを作業者に報知してもよい。
【００３２】
以上に説明したように、上記トレイメイクシステム１やそこで行われるトレイメイク方法では、飲食物を盛付けた複数の食器７〜11が載置された状態の画像12をトレイ５ごとに撮影し、撮影された画像12を分析し、飲食者ごとに予め定められた飲食物がトレイ５に載置されていることを確認する構成となっている。
【００３３】
そのため、上記構成のトレイメイクシステム１やトレイメイク方法では、作業者の目視による確認に加えて機械的な確認を行うことができるので、各飲食者に誤って飲食物が提供されるのを防止することができる。
【００３４】
また、上記トレイメイクシステム１やトレイメイク方法では、撮影された画像12から食器７〜11ごとの画像14〜18を抽出し、各食器７〜11ごとの画像14〜18に基づいて飲食者ごとに予め定められた飲食物がトレイ５に載置されていることを確認する構成となっている。
【００３５】
そのため、上記構成のトレイメイクシステム１やトレイメイク方法では、各食器７〜11ごとに各飲食者に誤って飲食物が提供されるのを防止することができ、また、各食器ごとに異物の混入や盛り付けの不具合なども併せて確認することができる。
【００３６】
さらに、上記トレイメイクシステム１やトレイメイク方法では、飲食者ごとに作成された食札６をトレイ５に載置し、食札６の画像13をトレイ５ごとに撮影し、撮影された画像13を分析し、飲食者ごとに予め定められた飲食物がトレイ５に載置されていることを確認する構成となっている。
【００３７】
そのため、上記構成のトレイメイクシステム１やトレイメイク方法では、食札６に掲載された各飲食者ごとに予め定められた飲食物の情報を自動的に取得することができ、各飲食者に誤って飲食物が提供されるのをより一層確実に防止することができる。
【符号の説明】
【００３８】
１  トレイメイクシステム          ２  搬送手段
３  撮影手段                      ４  制御手段
５  トレイ                        ６  食札
７〜11  食器                      12〜18  画像
19〜24  モデル画像
【図１】
2020081076.tif 000003
【図２】
2020081076.tif 000004